(57)【特許請求の範囲】
【請求項１】
導電性の線材と、該線材を被覆する絶縁性の被覆材とを有し、前記被覆材の剥離により前記線材の先端側が露出する露出部が形成された電線と、
有底筒状の圧着部を有し、少なくとも前記露出部を前記圧着部に挿入させて前記電線と圧着接続した端子と
を備える端子付き電線であって、
前記被覆材の外周面の一部には、前記被覆材の剥離端又は該剥離端の周辺の位置に、他の領域と比べて摩擦係数が小さい低摩擦領域が１つ又は複数形成され、
前記圧着部の内壁面の一部には、前記低摩擦領域に対して前記圧着部の開口端側の位置に、他の領域と比べて表面粗さが大きい粗化領域が１つ又は複数形成される
ことを特徴とする端子付き電線。
【請求項２】
前記粗化領域は、前記低摩擦領域と離間した位置に形成されることを特徴とする請求項１に記載の端子付き電線。
【請求項３】
前記粗化領域は、前記開口端の周辺の位置に形成されることを特徴とする請求項１又は２に記載の端子付き電線。
【請求項４】
１つの前記粗化領域及び１つの前記低摩擦領域は、前記電線の軸心に沿って延びる、前記外周面にある同一の仮想線の上に形成されることを特徴とする請求項１〜３のいずれか１項に記載の端子付き電線。
【請求項５】
前記粗化領域及び前記低摩擦領域はそれぞれ２つであり、
第１粗化領域及び第１低摩擦領域は、第１仮想線の上に形成され、
第２粗化領域及び第２低摩擦領域は、前記第１仮想線とは異なる第２仮想線の上に形成され、
前記第１仮想線及び前記第２仮想線は、前記電線の軸心を挟んで互いに対向する
ことを特徴とする請求項４に記載の端子付き電線。
【請求項６】
前記端子の圧着方向は、前記第１仮想線及び前記第２仮想線を包摂する仮想平面に平行することを特徴とする請求項５に記載の端子付き電線。
【請求項７】
前記内壁面には、前記電線の軸心に対して傾斜する傾斜領域が、前記剥離端の周辺の位置に設けられることを特徴とする請求項５又は６に記載の端子付き電線。
【請求項８】
前記第１仮想線は、前記傾斜領域がなす面の傾斜角が相対的に大きい位置にあり、
前記第２仮想線は、前記傾斜領域がなす面の傾斜角が相対的に小さい位置にあり、
前記第１低摩擦領域における前記電線の軸心方向に沿った幅は、前記第２低摩擦領域の幅よりも大きい
ことを特徴とする請求項７に記載の端子付き電線。
【請求項９】
前記第１仮想線は、前記傾斜領域がなす面の傾斜角が最大となる位置にあることを特徴とする請求項７又は８に記載の端子付き電線。
【請求項１０】
前記低摩擦領域における前記電線の軸心方向に沿った幅は、前記電線の外径に応じて異なることを特徴とする請求項１〜９のいずれか１項に記載の端子付き電線。
【請求項１１】
前記低摩擦領域は、前記電線の軸心方向に関して、前記剥離端の位置から前記電線の外径の１／３を超えない範囲にて形成されることを特徴とする請求項１〜１０のいずれか１項に記載の端子付き電線。
【請求項１２】
前記低摩擦領域は、前記剥離端を含む範囲にて形成されることを特徴とする請求項１〜１１のいずれか１項に記載の端子付き電線。
【請求項１３】
導電性の線材と、該線材を被覆する絶縁性の被覆材とを有し、前記被覆材の剥離により前記線材の先端側が露出する露出部が形成された電線と、
有底筒状の圧着部を有し、少なくとも前記露出部を前記圧着部に挿入させて前記電線と圧着接続した端子と
を備える端子付き電線を製造する方法であって、
前記圧着部を有底筒状に成形する前に、前記圧着部の内壁面の一部に他の領域と比べて表面粗さが大きい粗化領域を１つ又は複数形成する粗化工程と、
前記電線を圧着接続する前に、前記被覆材の外周面の一部に他の領域と比べて摩擦係数が小さい低摩擦領域を１つ又は複数形成する低摩擦化工程と
を備え、
前記低摩擦化工程では、前記端子を圧着接続する際における、前記被覆材の剥離端又は該剥離端の周辺の位置に対応する部位に前記低摩擦領域を形成し、
前記粗化工程では、前記端子を圧着接続する際における、前記圧着部の開口端側の位置に対応する部位に前記粗化領域を形成する
ことを特徴とする端子付き電線の製造方法。
【請求項１４】
請求項１〜１２のいずれか１項に記載の端子付き電線を複数束ねてなることを特徴とするワイヤハーネス。
【発明の詳細な説明】
【技術分野】
【０００１】
本発明は、電線と端子を圧着接続してなる端子付き電線、及びその製造方法、並びに当該端子付き電線を組み込んだワイヤハーネスに関する。
【背景技術】
【０００２】
従来から、例えば車両に搭載されるワイヤハーネスには、端子をかしめて電線に圧着する接続構造を備えた端子付き電線が用いられる。この種の端子付き電線において、露出した線材及び端子の内壁の間の接続部分に水分を含む液体が付着すると、接続部分及びその近傍の表面の酸化が進み、電気抵抗の増加又は腐食の発生が起こる場合がある。
【０００３】
近時、ワイヤハーネスの軽量化を図るべく、例えば、アルミニウム合金からなる線材と銅合金からなる端子を組み合わせた端子付き電線が開発されている。このように、異なる種類の金属同士が接触する端子付き電線の一形態として、有底筒状の圧着部を備えるクローズドバレル型端子による、防水性が高い接続構造が提案されている（例えば、特許文献１を参照）。
【先行技術文献】
【特許文献】
【０００４】
【特許文献１】特開２０１４−１６４９１３号公報
【発明の概要】
【発明が解決しようとする課題】
【０００５】
ところで、本発明者の鋭意検討によれば、互いに対向する２つの方向からクローズドバレル型端子をかしめる際に、電線の被覆材が無視できない程度に塑性変形し、軸心方向或いは周方向に沿って不均一に延伸することを見出した。
【０００６】
図１０（ａ）は圧着前の電線１が備える被覆材２の原形を示す概略図であり、図１０（ｂ）は圧着後の電線４が備える被覆材５の変形状態を示す概略図である。説明の便宜上、図１０（ｂ）では、電線４に圧着した端子の図示を省略している。
【０００７】
図１０（ａ）のグリッド線３は、被覆材２に予め付した目印であり、圧着前における外周面上の位置を示す。本図から理解されるように、縦線及び横線で囲まれる領域はそれぞれ、面積が互いに等しい矩形状である。一方、図１０（ｂ）に示すように、圧着後のグリッド線６は、格子線３と比べて、軸心方向及び周方向に歪んだ形状を有する。
【０００８】
このように、電線に端子をかしめることで、本来的には均一であった被覆材の厚さに分布を生じさせる。この「厚さの不均一性」により、１つの端子付き電線には、電線と端子の密着性が相対的に高い部位と低い部位が併存する。具体的には、被覆材が薄い部位にて端子に与える反発力（つまり圧着力）が低下するので、この密着性が低くなる傾向がみられる。
【０００９】
そうすると、電線と端子の密着性が相対的に低い部位に僅かな隙間が生じ、この隙間を通じて、外部からの液体が上記の接続部位に浸入する可能性がある。特に、被覆材が全体的に薄肉化された電線の場合、電線と端子の密着性が十分に確保できない可能性があり、この浸入の懸念が一層顕在化する。つまり、この種の端子付き電線には、止水性の観点で改良の余地が十分に残されている。
【００１０】
本発明は上記した課題に鑑みてなされたものであり、きわめて簡易な構造を採用しながら電線と端子の間の止水性を向上可能な端子付き電線及びその製造方法、並びにワイヤハーネスを提供することを目的とする。
【課題を解決するための手段】
【００１１】
本発明に係る「端子付き電線」は、導電性の線材と、該線材を被覆する絶縁性の被覆材とを有し、前記被覆材の剥離により前記線材の先端側が露出する露出部が形成された電線と、有底筒状の圧着部を有し、少なくとも前記露出部を前記圧着部に挿入させて前記電線と圧着接続した端子とを備え、前記被覆材の外周面の一部には、前記被覆材の剥離端又は該剥離端の周辺の位置に、他の領域と比べて摩擦係数が小さい低摩擦領域が１つ又は複数形成され、前記圧着部の内壁面の一部には、前記低摩擦領域に対して前記圧着部の開口端側の位置に、他の領域と比べて表面粗さが大きい粗化領域が１つ又は複数形成される。
【００１２】
被覆材は、端子側からの圧縮応力を受けることで、圧着部と一体となり塑性変形する。このとき、圧着部は、内壁面の形状或いは被覆材との接触状態によって、被覆材の剥離端を巻き込みながら変形する場合がある。また、電線には被覆材の有無による段差があるため、被覆材は、圧着部の内側（段差がなす空間側）に逃げ込む挙動を示す。つまり、剥離端の周辺にある被覆材が薄くなる傾向がみられる。
【００１３】
そこで、外周面の剥離端又はその周辺の位置に低摩擦領域を設けたので、当該低摩擦領域内にて滑り易くなり、圧着部の変形挙動に影響され難くなる。このように、上記の巻き込み現象によって被覆材が先端方向に延伸するのを抑制できる。
【００１４】
これと同時に、被覆材は、端子側からの圧縮応力を受けることで、圧着部の内壁面に沿って外側に押し出され、圧着部の外側（電線の基端側）に逃げ込む挙動を示す。つまり、圧着部に囲まれた被覆材が全体的に薄くなる傾向がみられる。そこで、圧着部の内壁面に粗化領域を設けたので、当該粗化領域内にて摩擦力が増加し、被覆部の変形挙動が抑制される。このように、上記の押し出し現象によって被覆材が基端方向に延伸するのを抑制できる。
【００１５】
以上に述べたように、被覆材が先端方向及び基端方向に延伸するのを同時に抑制可能となり、被覆材の厚さの不均一性が解消され、電線と端子の密着性が十分に確保できる。これにより、きわめて簡易な構造を採用しながら電線と端子の間の止水性を向上できる。
【００１６】
また、前記粗化領域は、前記低摩擦領域と離間した位置に形成されることが好ましい。粗化領域及び低摩擦領域を互いに干渉しない位置関係下に配置することで、それぞれの延伸抑制機能を効果的に発揮できる。
【００１７】
また、前記粗化領域は、前記開口端の周辺の位置に形成されることが好ましい。これにより、剥離端から開口端の手前までの広い範囲にある被覆材が基端方向に延伸するのを抑制できる。また、開口端の位置を粗化領域から除外することで、この粗化領域が液体の浸入口として作用するのを防止できる。
【００１８】
また、１つの前記粗化領域及び１つの前記低摩擦領域は、前記電線の軸心に沿って延びる、前記外周面にある同一の仮想線の上に形成されることが好ましい。１つずつの粗化領域及び低摩擦領域による作用方向が一致するので、作用方向の捻れに起因する被覆材の塑性変形の歪みが発生するのを防止可能であり、被覆材の厚さの均一性を確保し易くなる。
【００１９】
また、前記粗化領域及び前記低摩擦領域はそれぞれ２つであり、第１粗化領域及び第１低摩擦領域は、第１仮想線の上に形成され、第２粗化領域及び第２低摩擦領域は、前記第１仮想線とは異なる第２仮想線の上に形成され、前記第１仮想線及び前記第２仮想線は、前記電線の軸心を挟んで互いに対向することが好ましい。通常、互いに対向する２つの方向から外力が加わるので、２箇所の作用点に近い位置に対して粗化領域及び低摩擦領域をそれぞれ配置できる。
【００２０】
また、前記端子の圧着方向は、前記第１仮想線及び前記第２仮想線を包摂する仮想平面に平行することが好ましい。互いに対向する２つの圧着方向から外力が加わるので、２箇所の作用点に近い位置に対して粗化領域及び低摩擦領域をそれぞれ配置できる。
【００２１】
また、前記内壁面には、前記電線の軸心に対して傾斜する傾斜領域が、前記剥離端の周辺の位置に設けられることが好ましい。傾斜領域は電線の軸心に対して傾斜するので、圧着部が変形する際に、傾斜領域がなす面に倣って被覆材の剥離端が巻き込まれる可能性が高くなる。すなわち、低摩擦領域を設けた場合の延伸抑制効果がより顕著に現われる。
【００２２】
また、前記第１仮想線は、前記傾斜領域がなす面の傾斜角が相対的に大きい位置に存在し、前記第２仮想線は、前記傾斜領域がなす面の傾斜角が相対的に小さい位置に存在し、前記第１低摩擦領域における前記電線の軸心方向に沿った幅は、前記第２低摩擦領域の幅よりも大きいことが好ましい。傾斜角が大きいほど剥離端を巻き込む程度が大きくなる傾向を考慮して、傾斜角が相対的に大きい側の低摩擦領域がなす面を一層滑り易くすることで、被覆材が先端方向に延伸するのを一層効果的に抑制できる。
【００２３】
また、前記第１仮想線は、前記傾斜領域がなす面の傾斜角が最大となる位置にあることが好ましい。傾斜角が最大となる位置に低摩擦領域及び粗化領域を配置することで、被覆材の延伸を最も効果的に抑制できる。
【００２４】
また、前記低摩擦領域における前記電線の軸心方向に沿った幅は、前記電線の外径に応じて異なることが好ましい。低摩擦領域の幅を適切に設定することで、電線の外径に適した延伸抑制効果が得られる。
【００２５】
また、前記低摩擦領域は、前記電線の軸心方向に関して、前記剥離端の位置から前記電線の外径の１／３を超えない範囲にて形成されることが好ましい。低摩擦領域の範囲を適切に設定することで、電線の外径に適した延伸抑制効果が得られる。
【００２６】
また、前記低摩擦領域は、前記剥離端を含む範囲にて形成されることが好ましい。剥離により角部が形成された剥離端の摩擦係数を小さくすることで、剥離端を起点として被覆材が巻き込まれる可能性を一層低減できる。
【００２７】
本発明に係る「端子付き電線の製造方法」は、導電性の線材と、該線材を被覆する絶縁性の被覆材とを有し、前記被覆材の剥離により前記線材の先端側が露出する露出部が形成された電線と、有底筒状の圧着部を有し、少なくとも前記露出部を前記圧着部に挿入させて前記電線と圧着接続した端子とを備える端子付き電線を製造する方法であって、前記圧着部を有底筒状に成形する前に、前記圧着部の内壁面の一部に他の領域と比べて表面粗さが大きい粗化領域を１つ又は複数形成する粗化工程と、前記電線を圧着接続する前に、前記被覆材の外周面の一部に他の領域と比べて摩擦係数が小さい低摩擦領域を１つ又は複数形成する低摩擦化工程とを備え、前記低摩擦化工程では、前記端子を圧着接続する際における、前記被覆材の剥離端又は該剥離端の周辺の位置に対応する部位に前記低摩擦領域を形成し、前記粗化工程では、前記端子を圧着接続する際における、前記圧着部の開口端側の位置に対応する部位に前記粗化領域を形成する。
【００２８】
本発明に係る「ワイヤハーネス」は、上記したいずれかの端子付き電線を複数束ねてなる。
【発明の効果】
【００２９】
本発明に係る端子付き電線及びその製造方法、並びにワイヤハーネスによれば、きわめて簡易な構造を採用しながら電線と端子の間の止水性を向上できる。
【図面の簡単な説明】
【００３０】
【図１】この実施形態に係る端子付き電線の斜視図である。
【図２】図１に示す端子付き電線の部分拡大縦断面図である。
【図３】図１に示す端子付き電線における、電線の軸心に沿った断面図である。
【図４】電線の外周面をなす被覆材の展開図である。
【図５】低摩擦領域及び粗化領域による延伸抑制効果を説明する概略図である。
【図６】被覆材の延伸モデルの一例を説明する概略図である。
【図７】図１に示す端子付き電線の製造方法を説明するフローチャートである。
【図８】ステップＳ５の圧着工程を説明する概略図である。
【図９】図１に示す端子付き電線を組み込んだワイヤハーネスの斜視図である。
【図１０】圧着前後における被覆材の変形状態を示す概略図である。
【発明を実施するための形態】
【００３１】
以下、本発明に係る端子付き電線について、その製造方法及びワイヤハーネスとの関係において好適な実施形態を挙げ、添付の図面を参照しながら説明する。
【００３２】
［端子付き電線１０の構成］
＜全体構成＞
図１は、この実施形態に係る端子付き電線１０の斜視図である。詳しくは、図１（ａ）は電線２０と端子４０とを圧着接続した後の全体斜視図であり、図１（ｂ）は電線２０と端子４０とを圧着接続する前の分解斜視図である。
【００３３】
図２は、図１に示す端子付き電線１０の部分拡大縦断面図であり、詳しくは、電線２０に圧着接続した圧着部４１の圧着形状を示す。
【００３４】
図３は、図１に示す端子付き電線１０における、電線２０の軸心２５に沿った断面図である。詳しくは、図３（ａ）は後述する低摩擦領域２６、２７に対応する位置での端子付き電線１０の断面形状を示し、図３（ｂ）は後述する粗化領域５３、５４に対応する位置での端子付き電線１０の断面形状を示す。
【００３５】
図１及び図２に示すように、端子付き電線１０は、電線２０と、端子４０とを基本的に備えている。電線２０は、導電性の線材２１と、線材２１を被覆する絶縁性の被覆材２２とを有してなる。
【００３６】
線材２１は、素線２１ｅを複数本撚り合わせてなる撚り線である。素線２１ｅは、例えば、アルミニウム、アルミニウム合金、銅或いは銅合金からなる金属材料からなる。線材２１の形態は、撚り線に限られることなく単線であってもよい。
【００３７】
被覆材２２は、線材２１を外部から絶縁する物質であれば材料の種類は問わない。被覆材２２は、例えば、ポリ塩化ビニル（ＰＶＣ）、架橋ポリエチレンを含む絶縁樹脂からなる。
【００３８】
被覆材２２の一部が剥離されることで、電線２０には、線材２１の先端側が露出する露出部２３ａが形成されている。なお、電線２０を構成する露出部２３ａを除く部位、すなわち、被覆材２２が剥離されずに残っている部位を「被覆部２３ｂ」と称する。また、被覆材２２の剥離により形成される端面、すなわち、露出部２３ａと被覆部２３ｂとの境界面の位置を「剥離端２４」と称する。
【００３９】
説明の便宜のため、端子４０の延在方向を「Ｘ方向」、端子４０の圧着側を「矢印Ｘ１側」、端子４０の非圧着側を「矢印Ｘ２側」とそれぞれ定義する。また、Ｘ方向は、電線２０の軸心２５に沿った方向（以下、軸心方向）に一致するとの前提の下に説明する。
【００４０】
電線２０がなす外周面、つまり被覆材２２の外周面３０の一部には、２つの低摩擦領域２６、２７がＸ方向に沿って形成されている。ここで、「低摩擦領域」とは、剥離端２４から開口端４９までの範囲にある他の領域と比べて摩擦係数が小さい領域を意味する。
【００４１】
「摩擦係数」は、例えば測定対象が樹脂フィルムである場合、ＪＩＳ Ｋ７１２５（１９９９）にて定義される物理量である。つまり、低摩擦領域２６、２７は、静止摩擦係数（μｓ）及び動摩擦係数（μｄ）のうちの少なくとも１つが相対的に大きい領域ともいえる。
【００４２】
図３（ａ）に示すように、低摩擦領域２６、２７は、被覆材２２の外周面３０上に低摩擦化処理（ここでは、潤滑剤２９の塗布）が施されてなる。潤滑剤２９は、例えば、シリコングリース、フッ素グリース、ポリフェニルエーテルを基油に使用したグリースからなる。なお、この低摩擦化処理には、上記した塗布処理の他、表面改質処理が含まれる。
【００４３】
図１に戻って、被覆材２２の外周面３０には、低摩擦領域２６、２７とは別に、１つの調整用マーク２８が更に形成されている。調整用マーク２８は、電線２０を圧着部４１に挿入する際、電線２０の周方向（角度θ）を調整するための「向き決め用マーク」として機能する。
【００４４】
端子４０は、クローズドバレル型の雌型圧着端子であり、略筒状の圧着部４１と、中空四角柱状のボックス部４２とを有する。圧着部４１とボックス部４２との間には、両者を機械的及び電気的に接続する所定の長さのトランジション部４３が位置する。圧着部４１、ボックス部４２及びトランジション部４３は、一体的に端子４０を構成する。端子４０は、表面が錫メッキ（Ｓｎメッキ）された黄銅等の銅合金条で構成されている。
【００４５】
ボックス部４２は、図示しない雄型圧着端子が備える挿入タブの挿入を受容する。ボックス部４２は、底面部６０、側面部６１、６２、上面部６３を有する。弾性接触片６４は、底面部６０を矢印Ｘ１側に向かって内側に折り曲げてなり、雄型圧着端子を挿入する際に上記した挿入タブに接触する。
【００４６】
圧着部４１は、少なくとも露出部２３ａを挿入した電線２０を圧着する部位である。圧着部４１は、周方向全体において連続する形状、具体的には有底筒状に形成されている。圧着部４１は、矢印Ｘ２側に閉端する底部４４と、露出部２３ａを圧着する第１筒状部４５と、被覆部２３ｂを圧着する第２筒状部４６と、矢印Ｘ１側に開口する開口部４７を備える。圧着部４１の内側には、内部空間を区画する１つの内壁面４８が形成されている。
【００４７】
底部４４は、矢印Ｘ２側において略平板状に押し潰すように変形されて、上下方向に対向する所定部分が互いに重なり合った扁平形状である。また、底部４４から開口端４９の位置にわたって、Ｘ方向に沿って延びる突き合わせ部５０が設けられている。
【００４８】
露出部２３ａと被覆部２３ｂの間には、被覆材２２の厚さ程度の段差があるため、第１筒状部４５が強く圧縮される傾向がある。これにより、第１筒状部４５から第２筒状部４６への移行部は、第１筒状部４５が強く押し込まれた形状になっている。後述のように、被覆材２２の塑性変形が抑制されるため、剥離端２４の周辺には空間５１（図２）が残存する。
【００４９】
内壁面４８には、剥離端２４の周辺の位置に、電線２０の軸心２５に対して傾斜する領域（以下、傾斜領域５２）が設けられる。図２の例では、圧着部４１の上側において傾斜領域５２がなす面の傾斜角が最大であり、圧着部４１の下側において傾斜領域５２がなす面の傾斜角が最小である。
【００５０】
圧着部４１がなす内壁面４８の一部には、２つの粗化領域５３、５４がＸ方向に沿って形成されている。ここで、「粗化領域」とは、剥離端２４から開口端４９までの範囲にある他の領域と比べて表面粗さが大きい領域を意味する。
【００５１】
「表面粗さ」は、ＪＩＳ Ｂ ０６０１（１９９４）、ＪＩＳ Ｂ ００３１（１９９４）にて定義される物理量である。つまり、粗化領域５３、５４は、算術平均粗さ（Ｒａ）、最大高さ（Ｒｙ）、十点平均粗さ（Ｒｚ）、凹凸の平均間隔（Ｓｍ）、局部山頂の平均間隔（Ｓ）及び負荷長さ率（ｔｐ）のうちの少なくとも１つが相対的に大きい領域ともいえる。
【００５２】
図３（ｂ）に示すように、粗化領域５３、５４は、圧着部４１の内壁面４８上に粗化処理が施されてなる。この粗化処理には、例えば、放電処理、ブラスト処理、レーザ加工処理が含まれる。
【００５３】
＜被覆材２２の外形的特徴＞
２つの低摩擦領域２６、２７は、互いに同じ形状、詳しくは、平面視にて矩形状を有するとともに、電線２０の軸心２５に対して線対称となる位置に形成されている。
【００５４】
図４は、電線２０の外周面３０をなす被覆材２２の展開図であり、説明の便宜のため二次元グラフを用いて位置を表現する。グラフの横軸は剥離端２４を基準とする軸心方向の相対位置Ｘ（単位：μｍ）であり、剥離端２４の位置を０μｍとし、矢印Ｘ１側を正の方向とする。また、グラフの縦軸は周方向の角度θ（単位：度）であり、突き合わせ部５０の位置を０度（３６０度）とし、矢印Ｘ２側から電線２０を見て時計回りを正の方向とする。
【００５５】
低摩擦領域２６は、剥離端２４から隙間Ｇ１［μｍ］（正値又はゼロ値）だけ離れ、かつ、θ＝０度を中心とする位置に配されている。また、低摩擦領域２６は、軸心方向の幅がＷａ１［μｍ］であり、かつ、周方向の幅がＷｃ１［度］（正値）である。つまり、低摩擦領域２６は、軸心方向ではＧ１〜（Ｇ１＋Ｗａ１）［μｍ］の範囲に、周方向では−０．５・Ｗｃ１〜０．５・Ｗｃ１［度］の範囲に存在する。
【００５６】
低摩擦領域２７は、剥離端２４から隙間Ｇ２［μｍ］（正値又はゼロ値）だけ離れ、かつ、θ＝１８０度を中心とする位置に配されている。また、低摩擦領域２７は、軸心方向の幅がＷａ２［μｍ］であり、かつ、周方向の幅がＷｃ２［度］である。つまり、低摩擦領域２７は、軸心方向ではＧ２〜（Ｇ２＋Ｗａ２）［μｍ］の範囲に、周方向では（１８０−０．５・Ｗｃ２）〜（１８０＋０．５・Ｗｃ２）［度］の範囲に存在する。
【００５７】
低摩擦領域２６、２７はそれぞれ、開口端４９よりも剥離端２４に近い位置、すなわち、剥離端２４又は剥離端２４の周辺の位置に形成されている。剥離端２４の位置はＧ１（Ｇ２）＝０μｍを意味し、周辺の位置は概ね０＜Ｇ１（Ｇ２）≦１００μｍを意味する。
【００５８】
剥離端２４と開口端４９の間の距離をＬとすると、θ＝０度、Ｘ＝Ｌ＋ΔＸ［μｍ］（ΔＸ＞０）の位置、つまり開口端４９よりも矢印Ｘ１側の位置に、調整用マーク２８が併せて形成されている。
【００５９】
本図では、被覆材２２の外周面３０上に、２つの粗化領域５３、５４の投影位置を併せて表記している。２つの粗化領域５３、５４は、互いに同じ形状、詳しくは、平面視にて矩形状を有するとともに、電線２０の軸心２５に対して線対称となる位置に形成されている。
【００６０】
粗化領域５３は、開口端４９の周辺（矢印Ｘ２側）であって、θ＝０度を中心とする位置に配されている。また、粗化領域５４は、開口端４９の周辺（矢印Ｘ２側）であって、θ＝１８０度を中心とする位置に配されている。具体的には、粗化領域５３、５４はそれぞれ、開口端４９から隙間Ｇ３（＞０）［μｍ］だけ矢印Ｘ２側に離れている。
【００６１】
粗化領域５３及び低摩擦領域２６は、互いに離間した位置に、かつ、Ｘ方向に沿って延びる仮想線５６（第１仮想線）の上に配されている。同様に、粗化領域５４及び低摩擦領域２７は、互いに離間した位置に、かつ、Ｘ方向に沿って延びる仮想線５７（第２仮想線）の上に配されている。ここで、仮想線５６、５７は、電線２０の軸心２５を挟んで互いに対向する位置関係下にある。
【００６２】
なお、粗化領域５３、５４及び低摩擦領域２６、２７はいずれも、別の仮想線５８、５９を跨がないように配置される点に留意する。別の仮想線５８（第３仮想線）はθ＝９０度を中心とする位置にあり、別の仮想線５９（第４仮想線）はθ＝２７０度を中心とする位置にある。つまり、別の仮想線５８、５９はそれぞれ、２本の仮想線５６、５７の周方向に沿った中心線に相当する。
【００６３】
＜端子付き電線１０による延伸抑制効果＞
この実施形態に係る端子付き電線１０は、以上のように構成される。続いて、低摩擦領域２６、２７及び粗化領域５３、５４による延伸抑制効果について、図５を参照しながら説明する。図５（ａ）は低摩擦領域２６、２７及び粗化領域５３、５４が存在しない場合を示し、図５（ｂ）は低摩擦領域２６、２７及び粗化領域５３、５４が存在する場合を示す。
【００６４】
図５（ａ）に示すように、被覆材２２は、端子４０側からの圧縮応力を受けることで、圧着部４１と一体となり塑性変形する。このとき、圧着部４１は、傾斜領域５２の形状等によって、剥離端２４を巻き込みながら変形する場合がある。また、電線２０には被覆材２２の有無による段差があるため、被覆材２２は、矢印Ｘ２側（図２の空間５１）に逃げ込む挙動を示す。その結果、剥離端２４の周辺にある被覆材２２が薄くなる傾向がみられる。
【００６５】
これと同時に、被覆材２２は、端子４０側からの圧縮応力を受けることで、圧着部４１の内壁面４８に沿って外側に押し出され、矢印Ｘ１側に逃げ込む挙動を示す。つまり、圧着部４１に囲まれた被覆材２２が全体的に薄くなる傾向がみられる。
【００６６】
図５（ｂ）に示すように、剥離端２４又はその周辺の位置に低摩擦領域２６、２７を設けることで、低摩擦領域２６、２７内にて滑り易くなり、圧着部４１の変形挙動に影響され難くなる。このように、図５（ａ）に示す巻き込み現象によって、被覆材２２が矢印Ｘ２側に延伸するのを抑制できる。
【００６７】
また、内壁面４８に粗化領域５３、５４を設けることで、粗化領域５３、５４内にて摩擦力が増加し、被覆材２２の変形挙動が抑制される。このように、図５（ａ）に示す押し出し現象によって、被覆材２２が矢印Ｘ１方向に延伸するのを抑制できる。
【００６８】
この実施形態に係る端子付き電線１０は、［１］導電性の線材２１と、線材２１を被覆する絶縁性の被覆材２２とを有し、被覆材２２の剥離により線材２１の先端側が露出する露出部２３ａが形成された電線２０、及び、［２］有底筒状の圧着部４１を有し、少なくとも露出部２３ａを圧着部４１に挿入させて電線２０と圧着接続した端子４０を備える。
【００６９】
被覆材２２の外周面３０の一部には、被覆材２２の剥離端２４又はその周辺の位置に、他の領域と比べて摩擦係数が小さい低摩擦領域２６、２７が１つ又は複数（ここでは、２つ）形成される。また、圧着部４１の内壁面４８の一部には、低摩擦領域２６、２７に対して圧着部４１の開口端４９側の位置に、他の領域と比べて表面粗さが大きい粗化領域５３、５４が１つ又は複数（ここでは、２つ）形成される。
【００７０】
以上に述べたように、被覆材２２が矢印Ｘ１側及び矢印Ｘ２側に延伸するのを同時に抑制可能となり、被覆材２２の厚さの不均一性が解消され、電線２０と端子４０の密着性が十分に確保できる。これにより、きわめて簡易な構造を採用しながら電線２０と端子４０の間の止水性を向上できる。
【００７１】
＜被覆材２２の延伸モデル＞
図６は、被覆材２２の延伸モデルの一例を説明する概略図である。詳しくは、図６（ａ）は向き成分毎の変位量を示すグラフであり、図６（ｂ）は向き成分を合成した変位量を示すである。グラフの横軸は図４と同じ相対位置Ｘ（単位：μｍ）であり、グラフの縦軸は変位量（単位：μｍ）である。この変位量は、矢印Ｘ１側への変位を正の方向とし、矢印Ｘ２側への変位を負の方向とする。
【００７２】
図６（ａ）において、「Ｐａ」は図５（ａ）の形態での巻き込み現象に起因する被覆材２２の変位量を表す関数であり、「Ｑａ」は図５（ａ）の形態での押し出し現象に起因する被覆材２２の変位量を表す関数である。また、「Ｐｂ」は図５（ｂ）の形態での巻き込み現象に起因する被覆材２２の変位量を表す関数であり、「Ｑｂ」は図５（ａ）の形態での押し出し現象に起因する被覆材２２の変位量を表す関数である。
【００７３】
この延伸モデルにおける関数Ｐａ、Ｐｂは、０≦Ｘ≦ｘ１の範囲にてＫｐ（Ｘ−ｘ１）であり、Ｘ＞ｘ１の範囲にて常に０である。また、関数Ｑａ、Ｑｂは、０≦Ｘ≦ｘ２の範囲にてＫｑ・Ｘであり、Ｘ＞ｘ２の範囲にて常にＫｑ・ｘ２である。なお、傾きＫｐ、Ｋｑはいずれも正値であるとする。ここで、低摩擦領域２６、２７は傾きＫｐの値を、粗化領域５３、５４は傾きＫｑの値を、それぞれ小さくする効果を奏すると仮定する。
【００７４】
図６（ｂ）において、「対策前」は、図５（ａ）の形態での被覆材２２の変位量を表す関数であり、関数の和（Ｐａ＋Ｑａ）に相当する。また、「対策後」は、図５（ｂ）の形態での被覆材２２の変位量を表す関数であり、関数の和（Ｐｂ＋Ｑｂ）に相当する。本図から理解されるように、「対策後」の変位量は、「対策前」と比べて、位置Ｘのほぼ全範囲にわたってその絶対値が小さくなっている。
【００７５】
なお、図６（ａ）に示すＲ１は、低摩擦領域２６、２７による延伸抑制機能を効果的に発揮できるＸ方向の範囲に相当する。また、Ｒ２は、粗化領域５３、５４による延伸抑制機能を効果的に発揮できるＸ方向の範囲に相当する。換言すれば、低摩擦領域２６、２７が範囲Ｒ１に、粗化領域５３、５４が範囲Ｒ２に収まるように配置するのが好ましい。
【００７６】
＜低摩擦領域２６、２７及び粗化領域５３、５４の配置・形状＞
図４に戻って、粗化領域５３（５４）は、低摩擦領域２６（２７）と離間した位置に形成されてもよい。粗化領域５３（５４）及び低摩擦領域２６（２７）を互いに干渉しない位置関係下に配置することで、それぞれの延伸抑制機能を効果的に発揮できる。
【００７７】
また、粗化領域５３、５４は、開口端４９の周辺の位置に形成されてもよい。これにより、剥離端２４から開口端４９の手前までの広い範囲にある被覆材２２が矢印Ｘ１側に延伸するのを抑制できる。また、開口端４９の位置を粗化領域５３、５４から除外することで、この粗化領域５３、５４が液体の浸入口として作用するのを防止できる。
【００７８】
また、１つの粗化領域５３（５４）及び１つの低摩擦領域２６（２７）は、電線２０の軸心２５に沿って延びる、外周面３０にある同一の仮想線５６（５７）の上に形成されてもよい。１つずつの粗化領域５３（５４）及び低摩擦領域２６（２７）による作用方向が一致するので、作用方向の捻れに起因する被覆材２２の塑性変形の歪みが発生するのを防止可能であり、被覆材２２の厚さの均一性を確保し易くなる。
【００７９】
また、粗化領域５３、５４及び低摩擦領域２６、２７はそれぞれ２つであり、仮想線５６、５７は、電線２０の軸心２５を挟んで互いに対向してもよい。通常、互いに対向する２つの方向から外力が加わるので、２箇所の作用点に近い位置に対して粗化領域５３、５４及び低摩擦領域２６、２７をそれぞれ配置できる。
【００８０】
また、端子４０の圧着方向Ｐ１は、仮想線５６、５７を包摂する仮想平面７２（図８）に平行してもよい。互いに対向する２つの圧着方向Ｐ１から外力が加わるので、２箇所の作用点に近い位置に対して粗化領域５３、５４及び低摩擦領域２６、２７をそれぞれ配置できる。
【００８１】
また、内壁面４８には、電線２０の軸心２５に対して傾斜する傾斜領域５２が、剥離端２４の周辺の位置に設けられてもよい。傾斜領域５２は軸心２５に対して傾斜するので、圧着部４１が変形する際に、傾斜領域５２がなす面に倣って被覆材２２の剥離端２４が巻き込まれる可能性が高くなる。すなわち、低摩擦領域２６、２７を設けた場合の延伸抑制効果がより顕著に現われる。
【００８２】
また、仮想線５６は、傾斜領域５２がなす面の傾斜角が相対的に大きい位置（θ＝０度）に存在し、仮想線５７は、傾斜領域５２がなす面の傾斜角が相対的に小さい位置（θ＝１８０度）に存在し、低摩擦領域２６におけるＸ方向に沿った幅（Ｗａ１）は、低摩擦領域２７の幅（Ｗａ２）よりも大きくしてもよい。傾斜角が大きいほど剥離端２４を巻き込む程度が大きくなる傾向を考慮して、傾斜角が相対的に大きい側の低摩擦領域２６がなす面を一層滑り易くすることで、被覆材２２が矢印Ｘ２側に延伸するのを一層効果的に抑制できる。
【００８３】
また、仮想線５６は、傾斜領域５２がなす面の傾斜角が最大となる位置（θ＝０度）にあってもよい。傾斜角が最大となる位置に低摩擦領域２６及び粗化領域５３を配置することで、被覆材２２の延伸を最も効果的に抑制できる。
【００８４】
また、低摩擦領域２６、２７は、剥離端２４を含む範囲にて形成されてもよい。剥離によって角部が形成された剥離端２４の摩擦係数を小さくすることで、剥離端２４を起点として被覆材２２が巻き込まれる可能性を一層低減できる。
【００８５】
＜端子付き電線１０の製造方法＞
続いて、上記した端子付き電線１０の製造方法について、図７のフローチャート及び図８を参照しながら詳細に説明する。
【００８６】
図７のステップＳ１である「粗化工程」において、端子４０の内壁面４８に相当する部位に粗化領域５３、５４を形成する。具体的には、加工前の金属板の所定位置に、放電処理、ブラスト処理、レーザ加工処理を含む公知の粗化処理を施す。
【００８７】
放電処理には、プラズマ放電、コロナ放電のみならず、火花放電、グロー放電、アーク放電のいずれかの放電原理を利用する処理が含まれる。ブラスト処理は、研磨剤を吹き付ける各種加工を意味し、サンドブラスト等の空気式、ショットブラスト等の機械式、砥粒を混入した液体を噴射するウェットブラスト等の湿式を含む。
【００８８】
例えば、レーザ加工処理の場合、ＹＡＧを含む固体レーザを用いてレーザ光線を掃引照射することで、表面に凹凸形状を付与する。この粗化工程により、他の部位と比べて表面粗さが相対的に大きく、平面視にて矩形状である粗化領域５３が形成される。同様の手順により、これとは別の粗化領域５４が形成される。
【００８９】
なお、粗化領域５３、５４は、好ましくは、図６（ａ）の範囲Ｒ２内に収まる位置に形成される。これにより、端子４０の圧着接続（ステップＳ５）の際に、押し出し現象によって被覆材２２が矢印Ｘ１側に延伸するのを効果的に抑制できる。
【００９０】
図７のステップＳ２である「成形工程」において、ステップＳ１にて粗化領域５３、５４が形成された金属板を加工して端子４０を形成する。具体的には、所定の形状に打ち抜き加工された金属板を筒状に折り曲げ、ファイバレーザ等を用いて端部同士を溶接し、突き合わせ部５０を形成する。その後、突き合わせ部５０の裾野部分を潰して底部４４を形成し、当該箇所を塞ぐように溶接して封止する。これにより、有底筒状の圧着部４１を備える端子４０を成形する。
【００９１】
図７のステップＳ３である「塗布工程」において、シリコングリース等の潤滑剤２９を被覆材２２の外周面３０上に塗布することで、２つの低摩擦領域２６、２７を形成する。塗布に先立ち、被覆材２２の先端側を所定の長さだけ剥離することで、露出部２３ａが形成された電線２０を作製する。また、被覆材２２に対して印刷加工、熱処理加工、レーザ加工を含む公知のマーキング処理を施すことで、外周面３０上の所定位置に調整用マーク２８を形成する。
【００９２】
なお、低摩擦領域２６、２７は、好ましくは、図６（ａ）の範囲Ｒ１内に収まる位置に形成される。これにより、端子４０の圧着接続（ステップＳ５）の際に、巻き込み現象によって被覆材２２が矢印Ｘ２側に延伸するのを効果的に抑制できる。
【００９３】
例えば、低摩擦領域２６、２７におけるＸ方向に沿った幅（Ｗａ１、Ｗａ２）は、電線２０の外径に応じて異ならせてもよい。低摩擦領域２６、２７の幅を適切に設定することで、電線２０の外径に適した延伸抑制効果が得られる。
【００９４】
これと併せて又はこれとは別に、剥離端２４の位置から電線２０の外径の１／３を超えないＸ方向の範囲にて低摩擦領域２６、２７を設けてもよい。低摩擦領域２６、２７の範囲を適切に設定することで、電線２０の外径に適した延伸抑制効果が得られる。
【００９５】
図７のステップＳ４である「挿入工程」において、ステップＳ３にて低摩擦領域２６、２７が形成された電線２０を、所定の向きに、所定の長さだけ端子４０に挿入する。具体的には、電線２０の露出部２３ａを端子４０の開口部４７に近づけた上で、被覆材２２に形成された調整用マーク２８が正しい位置にあるか否かを確認する。ここでは、電線２０の調整用マーク２８と、端子４０の突き合わせ部５０との周方向の位置（角度θ）が一致するか否かを確認する。
【００９６】
両者の位置が一致しない場合、両者の差異を小さくする方向に電線２０を回動させた後に、両者の位置が一致するか否かを再確認する。一方、両者の位置が一致した場合、その位置関係を保ったまま、電線２０の露出部２３ａを端子４０の開口部４７から挿入する。
【００９７】
電線２０を挿入する際に、圧着部４１の外側から低摩擦領域２６、２７の位置が視認できない場合であっても、調整用マーク２８の位置を手掛かりにして、電線２０を正しい向きに案内できる。
【００９８】
なお、調整用マーク２８は、電線２０の挿入量を調整するための位置決め用マークとしても機能する。具体的には、調整用マーク２８と、開口端４９との軸心方向の位置（相対位置Ｘ）に応じて挿入量を決定してもよい。
【００９９】
図７のステップＳ５である「圧着工程」において、ステップＳ４にて挿入した電線２０を圧着する。以下、図８を参照しながら詳細に説明する。
【０１００】
図８に示すように、圧着接続前の電線２０及び端子４０を圧着型７０にセットし、圧着型７０の上方にある圧着型７１を下降させる。その後、端子４０の圧着部４１を圧着方向Ｐ１からかしめることで、電線２０及び端子４０を圧着接続する。ここで、圧着方向Ｐ１は、２本の仮想線５６、５７を包摂する仮想平面７２にほぼ平行するとともに、２本の仮想線５８、５９を包摂する別の仮想平面７３にほぼ直交する。この場合、圧着方向Ｐ１に対応する周方向の位置（θ＝０度、１８０度）にて圧着力が最大となるとともに、側方向Ｐ２に対応する周方向の位置（θ＝９０度、２７０度）にて圧着力が最小となる。
【０１０１】
このようにして、端子付き電線１０の製造は、ステップＳ１〜Ｓ５をもって終了する。この製造方法によれば、圧着部４１を有底筒状に成形する前に、圧着部４１の内壁面４８の一部に他の領域と比べて表面粗さが大きい粗化領域５３、５４を１つ又は複数形成する粗化工程（ステップＳ１）と、端子４０を圧着接続する前に、被覆材２２の外周面３０の一部に他の領域と比べて摩擦係数が小さい低摩擦領域２６、２７を１つ又は複数形成する低摩擦化工程（ステップＳ４）を備える。
【０１０２】
そして、粗化工程（Ｓ１）では、端子４０を圧着接続する際における、被覆材２２の剥離端２４又はその周辺の位置に対応する部位に粗化領域５３、５４を形成する。また、低摩擦化工程（Ｓ４）では、端子４０を圧着接続する際における、圧着部４１の開口端４９又はその周辺の位置に対応する部位に低摩擦領域２６、２７を形成する。これにより、上記した作用効果を奏する端子付き電線１０を製造できる。
【０１０３】
＜端子４０の圧着方向Ｐ１＞
ところで、端子４０の圧着方向Ｐ１（図８参照）を把握する方法について説明する。
【０１０４】
［１］圧着工程（図７のステップＳ５）に立ち会うことが最も確実な手段である。これに代わって、以下に示すように、製造後の端子付き電線１０を分析することで圧着方向Ｐ１を推定してもよい。
【０１０５】
［２］圧着部４１の形状によって圧着方向Ｐ１を推定できる場合がある。例えば、金属板を筒状に折り曲げて端部同士を溶接する場合、突き合わせ部５０の位置から圧着方向Ｐ１を推定できる。
【０１０６】
［３］電線２０の断面形状によって圧着方向Ｐ１を推定できる。なぜならば、電線２０及び端子４０の圧着工程を経て、電線２０の断面形状が異方的に変形するためである。具体的には、圧着方向Ｐ１は、軸心２５を通る角度方向のうち、電線２０の厚さが最小値となる方向に相当する。例えば、電線２０の断面形状が楕円である場合、圧着方向Ｐ１は短軸方向であると推定できる。
【０１０７】
［４］圧着部４１におけるバリの発生箇所によって圧着方向Ｐ１を推定できる。なぜならば、電線２０及び端子４０の圧着工程を経て、一対の圧着型７０、７１（図８）の境界面に沿って圧着部４１が塑性変形するためである。具体的には、圧着方向Ｐ１は、２本のバリを包摂する別の仮想平面７３の法線方向に相当する。なお、バリの発生箇所に代わって、バリを研磨した箇所を用いてもよい。
【０１０８】
＜応用例＞
続いて、この端子付き電線１０の応用例について説明する。図９は、図１に示す端子付き電線１０を組み込んだワイヤハーネス１００の斜視図である。
【０１０９】
ワイヤハーネス１００は、端子付き電線１０、１０、１０、‥‥と、それらの端部にそれぞれ取り付けられたコネクタ１０２、１０２、１０２、‥‥とで構成される接続構造体１０４Ａ、１０４Ｂ、１０４Ｃ、‥‥を有している。そして、ワイヤハーネス１００は、各接続構造体１０４Ａ（Ｂ、Ｃ、‥‥）を図示しない部材と組み合わせ、巻テープ１０６で束ねた後に、その端部に集合コネクタ１０８を配置してなる組み電線である。
【０１１０】
以上のように、端子付き電線１０を複数束ねることで、軽量化及び高い止水性を両立可能なワイヤハーネス１００が得られる。例えば、このワイヤハーネス１００を車両に搭載すれば、車両の大幅な軽量化を図れるとともに、燃費効率の向上に繋がる。
【０１１１】
［備考］
なお、この発明は、上述した実施形態に限定されるものではなく、この発明の主旨を逸脱しない範囲で自由に変更できることは勿論である。
【０１１２】
この実施形態では、低摩擦領域２６、２７の個数は２つであるが、これに限られず、１つ或いは３つ以上であってもよい。また、低摩擦領域２６、２７の形状、位置又はサイズに関しても、上記した延伸抑制機能を発揮可能な範囲にて自由に変更してもよい。
【０１１３】
この実施形態では、粗化領域５３、５４の個数は２つであるが、これに限られず、１つ或いは３つ以上であってもよい。また、粗化領域５３、５４の形状、位置又はサイズに関しても、上記した延伸抑制機能を発揮可能な範囲にて自由に変更してもよい。
【符号の説明】
【０１１４】
１０‥端子付き電線                      ２０‥電線
２１‥線材                              ２２‥被覆材
２３ａ‥露出部                          ２３ｂ‥被覆部
２４‥剥離端                            ２５‥軸心
２６、２７‥低摩擦領域                  ２８‥調整用マーク
２９‥潤滑剤                            ３０‥外周面
４０‥端子                              ４１‥圧着部
４４‥底部                              ４５‥第１筒状部
４６‥第２筒状部                        ４７‥開口部
４８‥内壁面                            ４９‥開口端
５０‥突き合わせ部                      ５２‥傾斜領域
５３、５４‥粗化領域                    ５６‥仮想線（第１仮想線）
５７‥仮想線（第２仮想線）              ５８、５９‥別の仮想線
７２‥仮想平面                          ７３‥別の仮想平面
１００‥ワイヤハーネス
【図１】
0006422385.tif 000002
【図２】
0006422385.tif 000003
【図３】
0006422385.tif 000004
【図４】
0006422385.tif 000005
【図５】
0006422385.tif 000006
【図６】
0006422385.tif 000007
【図７】
0006422385.tif 000008
【図８】
0006422385.tif 000009
【図９】
0006422385.tif 000010
【図１０】
0006422385.tif 000011